(57)【要約】【課題】  アンテナのインピーダンスや利得の変動を極力低減し、イヤホン使用時に良好なアンテナ特性を得ることのできるイヤホン一体型のアンテナ装置を提供する。【解決手段】  分岐部１２は、コネクタ部１１から受話部１３まで音声信号を伝送するイヤホン信号線１９、１５の途中位置にあり、複数のイヤホン信号線の各々の高周波信号を疎通させず、音声信号を疎通させる。また、分岐部１２は、途中位置から受話部の間にあるアンテナエレメントで受信されたアンテナ受信信号を取り出す。同軸線１４は、分岐部で取り出されたアンテナ受信信号を芯線１４ｂでコネクタ部１１に伝送する。【選択図】      図１
2005136587.tif 000002
【特許請求の範囲】
【請求項１】
コネクタ部で無線機に接続され、該無線機から該コネクタ部に与えられた音声信号を複数のイヤホン信号線で伝送し、受話部から音声を発するイヤホンと一体的に構成されるアンテナ装置であって、
前記コネクタ部から前記受話部まで前記音声信号を伝送するイヤホン信号線の途中位置にあり、前記複数のイヤホン信号線の各々の高周波信号を疎通させず、前記音声信号を疎通させ、該途中位置から前記受話部の間にあるアンテナエレメントで受信されたアンテナ受信信号を取り出す分岐部と、
前記分岐部で取り出された前記アンテナ受信信号を芯線で前記コネクタ部に伝送する同軸線とを有するアンテナ装置。
【請求項２】
前記分岐部より先のイヤホン信号線および受話部が左右２系統のステレオ型であり、前記分岐部と双方の前記受話部の間に前記アンテナエレメントがある、請求項１に記載のアンテナ装置。
【請求項３】
前記分岐部と前記受話部の間のいずれかのイヤホン信号線が前記アンテナエレメントとして機能する、請求項１または２に記載のアンテナ装置。
【請求項４】
前記分岐部と前記受話部の間に、シールド線が前記アンテナエレメントとして機能し、該シールド線内に前記イヤホン信号線が芯線として通る構造の同軸線を用いた、請求項１記載のアンテナ装置。
【請求項５】
前記分岐部は、前記アンテナエレメントと前記同軸線の間に所定の集中定数でインピーダンス整合を取る整合回路を有する、請求項１〜４のいずれか１項に記載のアンテナ装置。
【請求項６】
前記アンテナエレメントと前記同軸線の間に所定の分布定数でインピーダンス整合を取るスタブ回路をさらに有する、請求項１〜４のいずれか１項に記載のアンテナ装置。
【請求項７】
前記同軸線の途中にインピーダンス整合を取る整合調整部をさらに有する、請求項１〜４のいずれか１項に記載のアンテナ装置。
【請求項８】
前記コネクタ部と前記分岐部の間で前記イヤホン信号線と前記同軸線とが別個の外皮で覆われている、請求項１〜７のいずれか１項に記載のアンテナ装置。
【発明の詳細な説明】
【技術分野】
【０００１】
本発明は、小型無線機用のアンテナ装置に関し、特に、小型無線機に接続するイヤホンに内蔵されるアンテナ装置に関する。
【背景技術】
【０００２】
小型無線機の分野では、機器の小型化、軽量化を図り、携帯性を向上させることが重要である。
【０００３】
携帯ＦＭラジオではアンテナを内蔵したイヤホンが用いられることがある。アンテナを内蔵したイヤホンを用いれば、別途アンテナを設ける必要が無いため携帯ＦＭラジオの携帯性が向上する。
【０００４】
携帯ＦＭラジオに用いられるアンテナ内蔵イヤホンでは、イヤホンジャックから先のイヤホン全体のケーブルがアンテナとして利用される。携帯ＦＭラジオのような小型無線機で用いられるイヤホンケーブルは通常１〜２ｍ程度である。そのためイヤホンに内蔵されたアンテナは、ＶＨＦ帯域（波長が１０ｍ〜１ｍ程度）のように波長の長い周波数帯では、所望のインピーダンスおよび利得を得やすい。
【０００５】
また、携帯電話機でもイヤホンが用いられることがあり、このイヤホンにアンテナを内蔵したものが特許文献１に開示されている。特許文献１に記載された携帯電話機は、ヘッドユニット内にアンテナを設けることにより、イヤホン使用時に携帯電話機を任意の場所に置くことを可能としている。また、特許文献１に記載された携帯電話機は、ヘッドユニット内に２つのアンテナを有し、接続コードにより携帯電話機に接続されるアンテナをスイッチにより切り替え可能とした構成である。電界強度の良好なアンテナを選択することにより充分な電界強度を得ようとするものである。
【特許文献１】特開平０４−２０００４７号公報
【発明の開示】
【発明が解決しようとする課題】
【０００６】
携帯ＦＭラジオでは、イヤホンケーブルは一部巻き取った状態で使用されたり、一部をポケットに入れた状態で使用されたりすることがある。このような使用はイヤホン内蔵アンテナのインピーダンスや利得の変動を招き、アンテナとしての効果を充分に発揮できない可能性がある。
【０００７】
一方、特許文献１に記載された携帯電話機では、ヘッドユニットに設けられたアンテナがスイッチおよび接続コードを介して携帯電話機に接続される。高周波特性を考えるとヘッドユニット内のアンテナから接続コードまでの全体がつながって見え、アンテナとして機能する。したがって、接続コードを巻き取った状態で使用したり、ポケットやバッグに入れた状態で使用されることによるインピーダンス変動や特性劣化が生じる。
【０００８】
本発明の目的は、アンテナのインピーダンスや利得の変動を極力低減し、イヤホン使用時に良好なアンテナ特性を得ることのできるアンテナ装置を提供することである。
【課題を解決するための手段】
【０００９】
上記目的を達成するために、本発明のアンテナ装置は、コネクタ部で無線機に接続され、該無線機から該コネクタ部に与えられた音声信号を複数のイヤホン信号線で伝送し、受話部から音声を発するイヤホンと一体的に構成されるアンテナ装置であって、
前記コネクタ部から前記受話部まで前記音声信号を伝送するイヤホン信号線の途中位置にあり、前記複数のイヤホン信号線の各々の高周波信号を疎通させず、前記音声信号を疎通させ、該途中位置から前記受話部の間にあるアンテナエレメントで受信されたアンテナ受信信号を取り出す分岐部と、
前記分岐部で取り出された前記アンテナ受信信号を芯線で前記コネクタ部に伝送する同軸線とを有している。
【００１０】
本発明によれば、分岐部から先の部分に設けられたアンテナエレメントで受信したアンテナ受信信号を分岐部からコネクタ部まで同軸線で伝送すると共に、同軸線とイヤホン信号線の間の容量結合による高周波のノイズを分岐部が高周波信号を疎通しないことにより除去する。
【００１１】
また、前記分岐部より先のイヤホン信号線および受話部が左右２系統のステレオ型であり、前記分岐部と双方の前記受話部の間に前記アンテナエレメントがあることとしてもよい。
【００１２】
したがって、分岐部と右側の受話部の間のイヤホン信号線と、分岐部と左側受話部の間のイヤホン信号線との双方が長いアンテナエレメントとして機能する。
【００１３】
また、前記分岐部と前記受話部の間のいずれかのイヤホン信号線が前記アンテナエレメントとして機能することとしてもよい。
【００１４】
したがって、イヤホン信号線とアンテナエレメントを共用にできる。
【００１５】
また、前記分岐部と前記受話部の間に、シールド線が前記アンテナエレメントとして機能し、該シールド線内に前記イヤホン信号線が芯線として通る構造の同軸線を用いることとしてもよい。
【００１６】
したがって、分岐部と受話部の間で音声信号とアンテナ受信信号を分離できる。
【００１７】
また、前記分岐部は、前記アンテナエレメントと前記同軸線の間に所定の集中定数でインピーダンス整合を取る整合回路を有することとしてもよい。あるいは、前記アンテナエレメントと前記同軸線の間に所定の分布定数でインピーダンス整合を取るスタブ回路をさらに有することとしてもよい。
【００１８】
したがって、同軸線の芯線とアンテナエレメントとのインピーダンス整合が取られる。
【００１９】
あるいは、前記同軸線の途中にインピーダンス整合を取る整合調整部をさらに有することとしてもよい。
【００２０】
したがって、整合調整部がコネクタ部と分岐部の間のインピーダンス整合を取る。
【００２１】
また、前記コネクタ部と前記分岐部の間で前記イヤホン信号線と前記同軸線とが別個の外皮で覆われていることとしてもよい。
【発明の効果】
【００２２】
本発明によれば、分岐部から先の部分に設けられたアンテナエレメントで受信したアンテナ受信信号を分岐部からコネクタ部まで同軸線で伝送すると共に、同軸線とイヤホン信号線の間の容量結合による高周波のノイズを分岐部が高周波信号を疎通しないことにより除去するので、巻き取られた状態やポケット内に置かれることのない受話部付近の部分のみでインピーダンス変動や利得低下の少ない状態で無線電波を受信でき、かつ同軸線とイヤホン信号線の間の容量結合による音声信号への影響を除去して良好な音声を受話部から発生させることができる。
【００２３】
また、分岐部と右側の受話部の間のイヤホン信号線と、分岐部と左側受話部の間のイヤホン信号線との双方がアンテナエレメントとして機能するので、アンテナエレメント長を長く取ることができ、より良好なアンテナ特性を得ることができる。
【００２４】
また、イヤホン信号線とアンテナエレメントを共用にできるので、アンテナ装置の構造を単純化できる。
【００２５】
また、分岐部と受話部の間で音声信号とアンテナ受信信号を分離できるので、音声信号へのノイズをさらに低減することができる。
【００２６】
また、同軸線の芯線とアンテナエレメントとのインピーダンス整合が取られるので、インピーダンスの不整合により生じる利得の低下を低減することができる。
【００２７】
また、同軸線の芯線とアンテナエレメントとのインピーダンス整合が取られる。
【００２８】
また、整合調整部がコネクタ部と分岐部の間のインピーダンス整合を取るので、コネクタ部から見たアンテナのインピーダンス特性を良好に調整することができる。
【発明を実施するための最良の形態】
【００２９】
本発明の第１の実施形態について図面を参照して詳細に説明する。
【００３０】
図１は、第１の実施形態によるアンテナ装置の構成を示す図である。本実施形態のアンテナ装置は小型無線機に接続されるイヤホンと一体的に構成されている。
【００３１】
図１を参照すると、アンテナ装置はイヤホンケーブル１０、コネクタ部１１、分岐部１２、イヤホン信号線対１５、および受話部１３を有している。コネクタ部１１と分岐部１２はイヤホンケーブル１０で接続されている。分岐部１２と受話部１３はイヤホン信号線対１５で接続されている。
【００３２】
イヤホンケーブル１０は、シールド線１４ａおよび芯線１４ｂからなる同軸線１４と、イヤホン音声線１９ｂおよびイヤホンＧＮＤ線１９ａからなるイヤホン信号線対１９が１つの外皮で覆われた構造のケーブルである。コネクタ部１１は、アンテナ端子１６ａ、アンテナＧＮＤ端子１６ｂ、イヤホン端子１７ａ、およびイヤホンＧＮＤ端子１７ｂを有している。イヤホン信号線対１５はイヤホン音声線１５ｂおよびイヤホンＧＮＤ線１５ａからなる。分岐部１２は高周波分離部１８を有している。
【００３３】
コネクタ部１１内では、芯線１４ｂにアンテナ端子１６ａが接続され、シールド線１４ａにアンテナＧＮＤ端子１６ｂが接続され、イヤホン音声線１９ｂにイヤホン端子１７ｂが接続され、イヤホンＧＮＤ線１９ａにイヤホンＧＮＤ端子１７ａが接続されている。
【００３４】
分岐部１２内では、芯線１４ｂがイヤホン音声線１５ｂに接続されている。シールド線１４ａの分岐部１２側はオープンとなっている。また、イヤホン音声線１５ｂとイヤホン音声線１９ｂは高周波分離部１８を介して接続されている。イヤホンＧＮＤ線１５ａとイヤホンＧＮＤ線１９ａもまた高周波分離部１８を介して接続されている。
【００３５】
高周波分離部１８は、イヤホン音声線１５ｂとイヤホン音声線１９ｂの間に直列にインダクタ１８ｂを有し、およびイヤホンＧＮＤ線１５ａとイヤホンＧＮＤ線１９ａの間に直列にインダクタ１８ａを有している。インダクタ１８ａ，１８ｂのインダクタンス値は、音声信号の周波数で十分に低いインピーダンスとなり、高周波のアンテナ受信信号の周波数で十分に高いインピーダンスとなるように決められている。
【００３６】
コネクタ部１１は小型無線機（不図示）のイヤホン兼アンテナ用コネクタに挿入され、小型無線機からの音声信号をイヤホン信号線対１９に伝え、同軸線１４からの高周波のアンテナ受信信号を小型無線機に伝える。受話部１３はスピーカを有しており、小型無線機の使用者の耳に装着され、与えられた音声信号に応じて音声を発生させる。
【００３７】
小型無線機からイヤホン端子１７ｂおよびイヤホンＧＮＤ端子１７ａの間に与えられた音声信号はイヤホン信号線対１９、高周波分離部１８、イヤホン信号線対１５を通って受話部１３に到達する。音声信号は低周波なので高周波分離部１８を通過する。音声信号が受話部１３に到達することにより受話部１３から音声が発せられる。
【００３８】
一方、分岐部１２と受話部１３の間のイヤホン音声線１５ｂはアンテナエレメントとして機能する。このアンテナエレメントで受信されたアンテナ受信信号は同軸線１４で伝送され、アンテナ端子１６ａから小型無線機に与えられる。なお、同軸線１４とイヤホン信号線対１９が近接している場合、そこで容量結合が起こる。しかし、本実施形態ではイヤホン音声線およびイヤホンＧＮＤ線の双方にインダクタ１８ｂ，１８ａが挿入されているので、イヤホンケーブル１０部分での容量結合によりイヤホン信号線対１９に生じた高周波信号は高周波分離部１８で遮断され、受話部１３側に流れない。
【００３９】
以上説明したように、本実施形態のアンテナ装置は、イヤホン音声線１５ａをアンテナエレメントとして用い、そこで受信したアンテナ受信信号を分岐部１２からコネクタ部１１まで同軸線１４で伝送すると共に、同軸線１４とイヤホン音声線１９ｂおよびイヤホンＧＮＤ線１９ａとの間の容量結合による高周波のノイズを分岐部１２の高周波分離部１８で除去する。それにより、イヤホンを用いた通信時に、巻き取られた状態やポケット内に置かれることのない受話部１３付近のイヤホン音声線１５ａのみでインピーダンス変動や利得低下の少ない状態で無線電波を受信できる。また、同軸線１４とイヤホン音声線１９ｂおよびイヤホンＧＮＤ線１９ａとの間の容量結合による音声信号への影響が高周波分離部１８で除去され、良好な音声を受話部１３から発生させることができる。
【００４０】
なお、ここで示した構造の他、イヤホン音声線１９ｂおよびイヤホンＧＮＤ線１９ａを芯線１４ｂと共にシールド線１４ａ内に通すことも可能である。しかし、インピーダンス整合や利得低下を考えると、シールド線１４ａの外側に通すのが好ましい。
【００４１】
また、ここでは同軸線１４とイヤホン信号線対１９を１つの外皮で覆った構造のイヤホンケーブル１０を例示したが、他の構造のケーブルを用いてもよい。図２は、コネクタ部１１と分岐部１２の間のイヤホンケーブル１０としてケーブルを用いた例を示す図である。図２を参照すると、めがねケーブルによるイヤホンケーブル１０は、同軸線１４とイヤホン信号線対１９を互いに異なる外皮で多い、それら接合した構造となっている。
【００４２】
本発明の第２の実施形態について説明する。
【００４３】
図３は、第２の実施形態によるアンテナ装置の構成を示す図である。本実施形態のアンテナ装置は、第１の実施形態と異なり、ステレオ型のイヤホンと一体的に構成されている。
【００４４】
図３を参照すると、アンテナ装置はイヤホンケーブル２０、コネクタ部２１、分岐部２２、イヤホン信号線対２５Ａ，２５Ｂ、および受話部２３Ａ，２３Ｂを有している。コネクタ部２１と分岐部２２はイヤホンケーブル２０で接続されている。分岐部２２と受話部２３Ａはイヤホン信号線対２５Ａで、分岐部２２と受話部２３Ｂはイヤホン信号線対２５Ｂで接続されている。
【００４５】
イヤホンケーブル２０は、シールド線２４ａおよび芯線２４ｂからなる同軸線２４と、イヤホンＬｃｈ音声線２９ａ、イヤホンＲｃｈ音声線２９ｂ、およびイヤホンＧＮＤ線２９ｃからなるイヤホン信号線群２９が１つの外皮で覆われた構造のケーブルである。Ｌｃｈはステレオの左側のチャネルを指し、Ｒｃｈは右側のチャネルを指す。イヤホンＧＮＤ線２９ｃはＬｃｈおよびＲｃｈに共用である。コネクタ部２１は、アンテナ端子２６ａ、アンテナＧＮＤ端子２６ｂ、イヤホンＬｃｈ端子２７ａ、イヤホンＲｃｈ端子２７ｂ、およびイヤホンＧＮＤ端子２７ｃを有している。イヤホン信号線対２５ＡはイヤホンＬｃｈ音声線２５ａおよびイヤホンＬｃｈＧＮＤ線２５ｂからなる。イヤホン信号線対２５ＢはイヤホンＲｃｈ音声線２５ｃおよびイヤホンＲｃｈＧＮＤ線２５ｄからなる。分岐部１２は高周波分離部１８を有している。
【００４６】
コネクタ部２１内では、芯線２４ｂにアンテナ端子２６ａが接続され、シールド線２４ａにアンテナＧＮＤ端子２６ｂが接続され、イヤホンＬｃｈ音声線２９ａにイヤホンＬｃｈ端子２７ａが接続され、イヤホンＲｃｈ音声線２９ｂにイヤホンＲｃｈ端子２７ｂが接続され、イヤホンＧＮＤ線２９ｃにイヤホンＧＮＤ端子２７ｃが接続されている。
【００４７】
分岐部２２内では、芯線２４ｂがイヤホンＬｃｈ音声線２５ａおよびイヤホンＲｃｈ音声線２５ｃに接続されている。シールド線２４ａの分岐部２２側はオープンとなっている。また、イヤホンＬｃｈ音声線２５ａとイヤホンＬｃｈ音声線２９ａは高周波分離部２８を介して接続されている。イヤホンＲｃｈ音声線２５ｃとイヤホンＲｃｈ音声線２９ｂは高周波分離部２８を介して接続されている。イヤホンＬｃｈＧＮＤ線２５ｂおよびイヤホンＲｃｈＧＮＤ線２５ｄは共通接続され、高周波分離部２８を介してイヤホンＧＮＤ線２９ｃに接続されている。
【００４８】
高周波分離部２８は、イヤホンＬｃｈ音声線２５ａとイヤホンＬｃｈ音声線２９ａの間に直列にインダクタ２８ａを有し、イヤホンＲｃｈ音声線２５ｃとイヤホンＲｃｈ音声線２９ｂの間に直列にインダクタ２８ｂを有し、イヤホンＬｃｈＧＮＤ線２５ａおよびイヤホンＲｃｈＧＮＤ線２５ｃとイヤホンＧＮＤ線２９ｃとの間に直列にインダクタ２８ｃを有している。インダクタ２８ａ，２８ｂ，２８ｃのインダクタンス値は、音声信号の周波数で十分に低いインピーダンスとなり、高周波のアンテナ受信信号の周波数で十分に高いインピーダンスとなるように決められている。
【００４９】
コネクタ部２１は小型無線機（不図示）のイヤホン兼アンテナ用コネクタに挿入され、小型無線機からのＬｃｈ音声信号をイヤホンＬｃｈ音声線２９ａに伝え、Ｒｃｈ音声信号をイヤホンＲｃｈ音声線２９ｂに伝え、同軸線２４からの高周波のアンテナ受信信号を小型無線機に伝える。受話部２３Ａ，２３Ｂはの各々はスピーカを有しており、小型無線機の使用者の耳に装着され、与えられたＬｃｈ，Ｒｃｈ音声信号の各々に応じて音声を発生させる。
【００５０】
小型無線機からイヤホンＬｃｈ端子２７ａとイヤホンＧＮＤ端子２７ｃの間に与えられたＬｃｈ音声信号はイヤホンＬｃｈ音声線２９ａ、高周波分離部２８、イヤホン信号線対２５Ａを通って受話部２３Ａに到達する。同様に、小型無線機からイヤホンＲｃｈ端子２７ｂとイヤホンＧＮＤ端子２７ｃの間に与えられたＲｃｈ音声信号はイヤホンＬｃｈ音声線２９ｂ、高周波分離部２８、イヤホン信号線対２５Ｂを通って受話部２３Ｂに到達する。Ｌｃｈ，Ｒｃｈ音声信号は低周波なので高周波分離部２８を通過する。音声信号が受話部２３Ａ，２３Ｂに到達することにより受話部２３Ａ，２３Ｂからステレオ音声が発せられる。
【００５１】
一方、分岐部２２と受話部２３Ａの間のイヤホンＬｃｈ音声線２５ａと、分岐部２２と受話部２３Ｂの間のイヤホンＲｃｈ音声線２５ｃとの双方がアンテナエレメントとして機能する。そのため第２の実施形態では、第１の実施形態よりもアンテナエレメント長を長く取ることができ、より良好なアンテナ特性を得ることができる。
【００５２】
このアンテナエレメントで受信されたアンテナ受信信号は同軸線２４で伝送され、アンテナ端子２６ａから小型無線機に与えられる。なお、同軸線２４とイヤホン信号線群２９が近接している場合、そこで容量結合が起こる。しかし、イヤホンＬｃｈ，Ｒｃｈ音声線およびイヤホンＧＮＤ線の全てにインダクタ２８ａ〜２８ｃが挿入されているので、イヤホンケーブル２０部分での容量結合によりイヤホン信号線群２９に生じた高周波信号は高周波分離部２８で遮断され、受話部２３Ａ，２３Ｂ側に流れない。
【００５３】
以上説明したように、本実施形態のアンテナ装置によれば、第１の実施形態で得られると同様の作用効果の他に、アンテナエレメント長が長く取れることにより、さらに旅行ナアンテナ特性を得ることができる。
【００５４】
本発明の第３の実施形態について説明する。
【００５５】
本実施形態のアンテナ装置は、第２の実施形態と同様に、ステレオ型のイヤホンと一体的に構成されている。ただし、本実施形態では、分岐部２２と受話部２３Ａ，２３Ｂの間に同軸線を用い、そのシールド線をアンテナエレメントとして機能させる点で第２の実施形態と異なる。これにより、分岐部２２と受話部２３ａ，２３Ｂの間でＬｃｈ，Ｒｃｈ音声信号とアンテナ受信信号を分離することができる。
【００５６】
図４は、第３の実施形態によるアンテナ装置の構成を示す図である。図４に示した第３の実施形態のアンテナ装置において、図３に示した第２の実施形態のアンテナ装置との相違点を見ていく。分岐部２２と受話部２３Ａの間は、イヤホンＬｃｈ音声線２５ａとイヤホンＬｃｈＧＮＤ線２５ｂをイヤホンＬｃｈシールド線３１ａ内に通した同軸線で接続されている。また、分岐部２２と受話部２３Ｂの間は、イヤホンＲｃｈ音声線２５ｃとイヤホンＲｃｈＧＮＤ線２５ｄをイヤホンＲｃｈシールド線３１ｂ内に通した同軸線で接続されている。分岐部２２では、芯線２４ｂがイヤホンＬｃｈシールド線３１ａおよびイヤホンＲｃｈシールド線３１ｂに接続されている。イヤホンＬｃｈシールド線３１ａの受話部２３Ａ側と、イヤホンＲｃｈシールド線３１ｂの受話部２３Ｂ側は共にオープンである。その他の点では図４は図３と同じである。
【００５７】
したがって、本実施形態のアンテナ装置によれば、第２の実施形態で得られると同様の作用効果の他に、分岐部２２と受話部２３Ａ，２３Ｂの間で音声信号とアンテナ受信信号が分離されるので、音声信号へのノイズをさらに低減することができる。
【００５８】
本発明の第４の実施形態について説明する。
【００５９】
本実施形態のアンテナ装置も、第２および第３の実施形態と同様に、ステレオ型のイヤホンと一体的に構成されている。ただし、本実施形態では、分岐部と受話部の間のＧＮＤ線をアンテナエレメントとして機能させる点と、そのアンテナエレメントとコネクタ部−分岐部間の芯線とのインピーダンス整合を取る集中定数の整合回路が分岐部に設けられている点で第２の実施形態と異なる。これにより、分岐部でのインピーダンスの不整合による利得の劣化を防ぐことができる。
【００６０】
図５は、第４の実施形態によるアンテナ装置の構成を示す図である。図５に示した第４の実施形態のアンテナ装置において、図３に示した第２の実施形態のアンテナ装置との相違点を見ていく。分岐部４１は、高周波分離部２８の他に、所定の集中定数の整合回路４２を有している。また、分岐部４１内では、コネクタ部２１と分岐部４１の間の同軸線２４の芯線２４ｂが、整合回路４２を介して、アンテナエレメントとして機能するイヤホンＬｃｈＧＮＤ線２５ｂおよびイヤホンＲｃｈＧＮＤ線２５ｄに接続されている。
【００６１】
したがって、本実施形態のアンテナ装置によれば、第２の実施形態で得られると同様の作用効果の他に、同軸線２４の芯線２４ｂとアンテナエレメントとのインピーダンス整合が整合回路４２により取られるので、インピーダンスの不整合により生じる利得の低下を低減することができる。
【００６２】
本発明の第５の実施形態について説明する。
【００６３】
本実施形態のアンテナ装置も、第２〜４の実施形態と同様に、ステレオ型のイヤホンと一体的に構成されており、また第４の実施形態と同様に、分岐部と受話部の間のＧＮＤ線をアンテナエレメントとして機能させる。しかし、本実施形態は、アンテナエレメントとコネクタ部−分岐部間の芯線とのインピーダンス整合を分布定数のスタブ回路によって取っている点で第４の実施形態と異なる。インピーダンスの不整合による利得の劣化を防ぐ点では第４の実施形態と同じである。
【００６４】
図６は、第５の実施形態によるアンテナ装置の構成を示す図である。図６に示した第５の実施形態のアンテナ装置において、図５に示した第４の実施形態のアンテナ装置との相違点を見ていく。スタブ回路５２は同軸線２４およびイヤホン信号線群２９と共に外皮に覆われてイヤホンケーブル５０内に構成される。分岐部５１は、整合回路の代わりに、同軸線２４をスタブ回路５２に接続する配線構造を有する。
【００６５】
したがって、本実施形態のアンテナ装置によれば、第４の実施形態と同様の作用効果を得ることができる。
【００６６】
本発明の第６の実施形態について説明する。
【００６７】
本実施形態のアンテナ装置も、第２〜５の実施形態と同様に、ステレオ型のイヤホンと一体的に構成されており、また第４および第５の実施形態と同様に、分岐部と受話部の間のＧＮＤ線をアンテナエレメントとして機能させる。
【００６８】
図７は、第６の実施形態によるアンテナ装置の構成を示す図である。本実施形態では、第４および第５の実施形態と異なり、コネクタ部２１と分岐部６１の間に中継部６２がある。中継部６２は、イヤホン信号線群２９のＬｃｈ，Ｒｃｈ音声信号については単純に疎通させる。しかし、中継器６２は、コネクタ部２１−中継部６２間の同軸線２４Ａと、中継部６２−分岐部６１間の同軸線２４Ｂとの間に整合調整部６３を有している。
【００６９】
整合調整部６３は、所定の集中定数でコネクタ部２１と分岐部６１の間のインピーダンス整合を取る。集中定数は、分岐部２１でのインピーダンス特性を考慮し、コネクタ部２１から見たインピーダンス特性を良好に調整する値に決められる。
【図面の簡単な説明】
【００７０】
【図１】第１の実施形態によるアンテナ装置の構成を示す図である。
【図２】コネクタ部と分岐部の間のイヤホンケーブルとしてケーブルを用いた例を示す図である。
【図３】第２の実施形態によるアンテナ装置の構成を示す図である。
【図４】第３の実施形態によるアンテナ装置の構成を示す図である。
【図５】第４の実施形態によるアンテナ装置の構成を示す図である。
【図６】第５の実施形態によるアンテナ装置の構成を示す図である。
【図７】第６の実施形態によるアンテナ装置の構成を示す図である。
【符号の説明】
【００７１】
１０、２０、５０、６０Ａ、６０Ｂ    イヤホンケーブル
１１、２１、４１、５１、６１    コネクタ部
１２、２２    分岐部
１３、２３Ａ、２３Ｂ    受話部
１４、２４    同軸線
１４ａ、２４ａ、２４Ａａ、２４Ｂａ    シールド線
１４ｂ、２４ｂ、２４Ａｂ、２４Ｂｂ    芯線
１５、２５Ａ、２５ｂ    イヤホン信号線対
１５ａ    イヤホンＧＮＤ線
１５ｂ    イヤホン音声線
１６ａ、２６ａ    アンテナ端子
１６ｂ、２６ｂ    アンテナＧＮＤ端子
１７ａ、２７ｃ    イヤホンＧＮＤ端子
１７ｂ    イヤホン端子
１８、２８    高周波分離部
１９    イヤホン信号線対
１９ａ、２９ｃ    イヤホンＧＮＤ線
１９ｂ    イヤホン音声線
２５ａ    イヤホンＬｃｈ音声線
２５ｂ    イヤホンＬｃｈＧＮＤ線
２５ｃ    イヤホンＲｃｈ音声線
２５ｄ    イヤホンＲｃｈＧＮＤ線
２７ａ    イヤホンＬｃｈ端子
２７ｂ    イヤホンＲｃｈ端子
２８ａ〜２８ｃ    インダクタ
２９ａ    イヤホンＬｃｈ音声線
２９ｂ    イヤホンＲｃｈ音声線
３１ａ    イヤホンＬｃｈシールド線
３１ｂ    イヤホンＲｃｈシールド線
４２    整合回路
５２    スタブ回路
６２    中継部
６３    整合調整部
【図１】
2005136587.tif 000003
【図２】
2005136587.tif 000004
【図３】
2005136587.tif 000005
【図４】
2005136587.tif 000006
【図５】
2005136587.tif 000007
【図６】
2005136587.tif 000008
【図７】
2005136587.tif 000009
【手続補正書】
【提出日】平成16年9月1日(2004.9.1)
【手続補正１】
【補正対象書類名】特許請求の範囲
【補正対象項目名】全文
【補正方法】変更
【補正の内容】
【特許請求の範囲】
【請求項１】
コネクタ部で無線機に接続され、該無線機から該コネクタ部に与えられた音声信号を複数のイヤホン信号線で伝送し、受話部から音声を発するイヤホンと一体的に構成されるアンテナ装置であって、
前記コネクタ部から前記受話部まで前記音声信号を伝送するイヤホン信号線の途中位置と該受話部との間にあるアンテナエレメントと、
前記途中位置にあり、前記複数のイヤホン信号線の各々の高周波信号を疎通させず、前記音声信号を疎通させ、前記アンテナエレメントで受信されたアンテナ受信信号を取り出す分岐部と、
前記分岐部で取り出された前記アンテナ受信信号を自身の備える芯線で前記コネクタ部に伝送する同軸線とを有するアンテナ装置。
【請求項２】
前記分岐部より先のイヤホン信号線および受話部が左右２系統のステレオ型であり、前記分岐部と双方の前記受話部の間に前記アンテナエレメントがある、請求項１に記載のアンテナ装置。
【請求項３】
前記分岐部より先のイヤホン信号線および受話部が左右２系統のステレオ型であり、前記分岐部を挟む双方の前記受話部の間に前記アンテナエレメントがある、請求項１に記載のアンテナ装置。
【請求項４】
前記分岐部と前記受話部の間のいずれかのイヤホン信号線が前記アンテナエレメントとして機能する、請求項１〜３のいずれか１項に記載のアンテナ装置。
【請求項５】
前記分岐部と前記受話部の間に、シールド線が前記アンテナエレメントとして機能し、該シールド線内に前記イヤホン信号線が芯線として通る構造の同軸線を用いた、請求項１〜３のいずれか１項に記載のアンテナ装置。
【請求項６】
前記分岐部は、前記アンテナエレメントと前記同軸線の間に所定の集中定数でインピーダンス整合を取る整合回路を有する、請求項１〜５のいずれか１項に記載のアンテナ装置。
【請求項７】
前記アンテナエレメントと前記同軸線の間に所定の分布定数でインピーダンス整合を取るスタブ回路をさらに有する、請求項１〜５のいずれか１項に記載のアンテナ装置。
【請求項８】
前記同軸線の途中にインピーダンス整合を取る整合調整部をさらに有する、請求項１〜５のいずれか１項に記載のアンテナ装置。
【請求項９】
前記コネクタ部と前記分岐部の間で前記イヤホン信号線と前記同軸線とが別個の外皮で覆われている、請求項１〜８のいずれか１項に記載のアンテナ装置。
【手続補正２】
【補正対象書類名】明細書
【補正対象項目名】０００９
【補正方法】変更
【補正の内容】
【０００９】
上記目的を達成するために、本発明のアンテナ装置は、コネクタ部で無線機に接続され、該無線機から該コネクタ部に与えられた音声信号を複数のイヤホン信号線で伝送し、受話部から音声を発するイヤホンと一体的に構成されるアンテナ装置であって、
前記コネクタ部から前記受話部まで前記音声信号を伝送するイヤホン信号線の途中位置と該受話部との間にあるアンテナエレメントと、
前記途中位置にあり、前記複数のイヤホン信号線の各々の高周波信号を疎通させず、前記音声信号を疎通させ、前記アンテナエレメントで受信されたアンテナ受信信号を取り出す分岐部と、
前記分岐部で取り出された前記アンテナ受信信号を自身の備える芯線で前記コネクタ部に伝送する同軸線とを有している。
【手続補正３】
【補正対象書類名】明細書
【補正対象項目名】００１１
【補正方法】変更
【補正の内容】
【００１１】
また、前記分岐部より先のイヤホン信号線および受話部が左右２系統のステレオ型であり、前記分岐部と双方の前記受話部の間に前記アンテナエレメントがあることとしてもよい。あるいは、前記分岐部より先のイヤホン信号線および受話部が左右２系統のステレオ型であり、前記分岐部を挟む双方の前記受話部の間に前記アンテナエレメントがあることとしてもよい。
【手続補正４】
【補正対象書類名】明細書
【補正対象項目名】００１２
【補正方法】変更
【補正の内容】
【００１２】
したがって、分岐部と右側の受話部の間のイヤホン信号線と、分岐部と左側受話部の間のイヤホン信号線とが長いアンテナエレメントとして機能する。